(57)【特許請求の範囲】
【請求項１】
ハンダ付き電極が形成された複数の半導体チップを、アンダーフィルフィルムを介して前記ハンダ付き電極と対向する対向電極が形成された電子部品に搭載する搭載工程と、
前記複数の半導体チップと前記電子部品とを、前記アンダーフィルフィルムを介して一括圧着する圧着工程とを有し、
前記アンダーフィルフィルムが、エポキシ樹脂と、酸無水物と、アクリル樹脂と、有機過酸化物とを含有し、最低溶融粘度が、１０００Ｐａ・ｓ以上２０００Ｐａ・ｓ以下であり、最低溶融粘度到達温度より１０℃高い温度から該温度より１０℃高い温度までの溶融粘度の傾きが、９００Ｐａ・ｓ／℃以上３１００Ｐａ・ｓ／℃以下である半導体装置の製造方法。
【請求項２】
前前記溶融粘度の傾きが、１７００Ｐａ・ｓ／℃以上３１００Ｐａ・ｓ／℃以下である請求項１記載の半導体装置の製造方法。
【請求項３】
前記アクリル樹脂と前記有機過酸化物との合計質量と、前記エポキシ樹脂と前記酸無水物との合計質量との比が、７：３〜５：５である請求項２記載の半導体装置の製造方法。
【請求項４】
前記エポキシ樹脂が、グリシジルエーテル型エポキシ樹脂であり、
前記酸無水物が、脂環式酸無水物である請求項１乃至３のいずれか１項に記載の半導体装置の製造方法。
【請求項５】
前記アクリル樹脂が、フルオレン系アクリレートであり、
前記有機過酸化物が、パーオキシケタールである請求項１乃至４のいずれか１項に記載の半導体装置の製造方法。
【請求項６】
複数の半導体チップと電子部品とを、一括圧着するためのアンダーフィルフィルムであって、
エポキシ樹脂と、酸無水物と、アクリル樹脂と、有機過酸化物とを含有し、最低溶融粘度が、１０００Ｐａ・ｓ以上２０００Ｐａ・ｓ以下であり、最低溶融粘度到達温度より１０℃高い温度から該温度より１０℃高い温度までの溶融粘度の傾きが、９００Ｐａ・ｓ／℃以上３１００Ｐａ・ｓ／℃以下であるアンダーフィルフィルム。
【請求項７】
前前記溶融粘度の傾きが、１７００Ｐａ・ｓ／℃以上３１００Ｐａ・ｓ／℃以下である請求項６記載のアンダーフィルフィルム。
【請求項８】
前記アクリル樹脂と前記有機過酸化物との合計質量と、前記エポキシ樹脂と前記酸無水物との合計質量との比が、７：３〜５：５である請求項７記載のアンダーフィルフィルム。
【請求項９】
前記エポキシ樹脂が、グリシジルエーテル型エポキシ樹脂であり、
前記酸無水物が、脂環式酸無水物である請求項６乃至８のいずれか１項に記載のアンダーフィルフィルム。
【請求項１０】
前記アクリル樹脂が、フルオレン系アクリレートであり、
前記有機過酸化物が、パーオキシケタールである請求項６乃至９のいずれか１項に記載のアンダーフィルフィルム。
【発明の詳細な説明】
【技術分野】
【０００１】
本発明は、基板又はウエハに半導体チップを搭載する半導体装置の製造方法、及びこれに用いられるアンダーフィルフィルムに関する。
【背景技術】
【０００２】
従来の一般的な液状のアンダーフィル材では、薄膜化した半導体チップの実装や３Ｄ実装などが困難となっている。このため、半導体ＩＣ（Integrated Circuit）電極と基板電極とを金属接合又は圧接接合する前にアンダーフィルフィルムを基板上に貼り付ける「先供給型アンダーフィルフィルム（ＰＵＦ：Pre-applied Underfill Film）」の使用が検討されている。
【０００３】
この先供給型アンダーフィルフィルムを使用した搭載方法は、例えば、以下のように行われる（例えば、特許文献１参照。）。
【０００４】
工程Ａ：ウエハにアンダーフィルフィルムを貼り付け、ダイシングして半導体チップを得る。
工程Ｂ：基板上で半導体チップの位置合わせを行う。
工程Ｃ：高温・高圧により半導体チップと基板を圧着し、ハンダバンプの金属結合による導通確保、及びアンダーフィルフィルムの硬化による半導体チップと基板の接着を行う。
【０００５】
このような実装方法を用いて１チップ当たりの生産タクトを向上させる方法として、マルチヘッド、一括圧着などが挙げられる。しかしながら、マルチヘッドの装置は価格が高額であり、１チップ当たりのコストが増加してしまう。また、一括圧着では、ボンダー（ヒートツール）による温度コントロールが困難であるため、チップの位置によって昇温速度に差が生じてしまい、バンプ間の樹脂噛み込みなどの接合不良やボイドが発生することがあった。
【先行技術文献】
【特許文献】
【０００６】
【特許文献１】特開２００５−２８７３４号公報
【発明の概要】
【発明が解決しようとする課題】
【０００７】
本発明は、このような従来の実情に鑑みて提案されたものであり、複数の半導体チップを一括圧着した場合でも、ボイドレス実装及び良好なハンダ接合性が得られる半導体装置の製造方法及びアンダーフィルフィルムを提供する。
【課題を解決するための手段】
【０００８】
本発明者は、鋭意検討を行った結果、所定の最低溶融粘度及び最低溶融粘度到達温度より高い温度において所定の溶融粘度の傾きを有するアンダーフィルフィルムを用いることにより、複数の半導体チップを一括圧着した場合でも、ボイドレス実装及び良好なハンダ接合性が得られることを見出した。
【０００９】
すなわち、本発明に係る半導体装置の製造方法は、ハンダ付き電極が形成された複数の半導体チップを、アンダーフィルフィルムを介して前記ハンダ付き電極と対向する対向電極が形成された電子部品に搭載する搭載工程と、前記複数の半導体チップと前記電子部品とを、前記アンダーフィルフィルムを介して一括圧着する圧着工程とを有し、前記アンダーフィルフィルムが、エポキシ樹脂と、酸無水物と、アクリル樹脂と、有機過酸化物とを含有し、最低溶融粘度が、１０００Ｐａ・ｓ以上２０００Ｐａ・ｓ以下であり、最低溶融粘度到達温度より１０℃高い温度から該温度より１０℃高い温度までの溶融粘度の傾きが、９００Ｐａ・ｓ／℃以上３１００Ｐａ・ｓ／℃以下であることを特徴とする。
【００１０】
また、本発明は、複数の半導体チップと電子部品とを、一括圧着するためのアンダーフィルフィルムであって、エポキシ樹脂と、酸無水物と、アクリル樹脂と、有機過酸化物とを含有し、最低溶融粘度が、１０００Ｐａ・ｓ以上２０００Ｐａ・ｓ以下であり、最低溶融粘度到達温度より１０℃高い温度から該温度より１０℃高い温度までの溶融粘度の傾きが、９００Ｐａ・ｓ／℃以上３１００Ｐａ・ｓ／℃以下であることを特徴とする。
【発明の効果】
【００１１】
本発明によれば、所定の最低溶融粘度及び最低溶融粘度到達温度より高い温度において所定の溶融粘度の傾きを有するアンダーフィルフィルムを用いることにより、複数の半導体チップを一括圧着した場合でも、チップ位置による昇温温度差の影響を低減することができ、ボイドレス実装及び良好なハンダ接合性が得られる。
【図面の簡単な説明】
【００１２】
【図１】第１例の搭載前の半導体チップと回路基板とを模式的に示す断面図である。
【図２】第２例の搭載前の半導体チップと回路基板とを模式的に示す断面図である。
【図３】搭載時の半導体チップと回路基板とを模式的に示す断面図である。
【図４】熱圧着後の半導体チップと回路基板とを模式的に示す断面図である。
【図５】ボンディング条件の一例を示すグラフである。
【図６】図４に示すボンディング条件に適合したアンダーフィルフィルムの溶融粘度カーブを示すグラフである。
【図７】本実施の形態における半導体装置の製造方法を示すフローチャートである。
【図８】ウエハ上にアンダーフィルフィルムを貼り付ける工程を模式的に示す斜視図である。
【図９】ウエハをダイシングする工程を模式的に示す斜視図である。
【図１０】半導体チップをピックアップする工程を模式的に示す斜視図である。
【図１１】複数の半導体チップを一括圧着する工程を模式的に示す断面図である。
【図１２】複数の半導体チップを一括圧着する工程を模式的に示す斜視図である。
【図１３】アンダーフィルフィルムのサンプルの溶融粘度カーブを示すグラフである。
【発明を実施するための形態】
【００１３】
以下、本発明の実施の形態について、下記順序にて詳細に説明する。
１．アンダーフィルフィルム
２．半導体装置の製造方法
３．実施例
【００１４】
＜１．アンダーフィルフィルム＞
本実施の形態におけるアンダーフィルフィルムは、複数の半導体チップと電子部品とを、一括圧着するためのものであって、エポキシ樹脂と、酸無水物と、アクリル樹脂と、有機過酸化物とを含有し、最低溶融粘度が、１０００Ｐａ・ｓ以上２０００Ｐａ・ｓ以下であり、最低溶融粘度到達温度より１０℃高い温度から該温度より１０℃高い温度までの溶融粘度の傾きが、９００Ｐａ・ｓ／℃以上３１００Ｐａ・ｓ／℃以下である。ここで、電子部品としては、複数の半導体チップを搭載するボトムチップ、回路基板などが挙げられる。
【００１５】
図１及び図２は、夫々第１例及び第２例の搭載前の半導体チップと回路基板とを模式的に示す断面図である。また、図３は、搭載時の半導体チップと回路基板とを模式的に示す断面図、及び、図４は、熱圧着後の半導体チップと回路基板とを模式的に示す断面図である。
【００１６】
図１に示すように、アンダーフィルフィルム２０は、ハンダ付き電極１３が形成された半導体チップ１０の電極面に予め貼り合わされて使用される。又は、図２に示すように、アンダーフィルフィルム２０は、ハンダ付き電極１３と対向する対向電極３２が形成された回路基板３０の電極面に予め貼り合わされて使用されても良い。そして、図３及び図４に示すように、アンダーフィルフィルム２０が硬化した接着層２１により複数の半導体チップ１０が回路基板３０に接合される。
【００１７】
半導体チップ１０は、シリコンなどの半導体１１表面に集積回路が形成され、バンプと呼ばれる接続用のハンダ付き電極を有する。ハンダ付き電極は、銅などからなる電極１２上にハンダ１３を接合したものであり、電極１２の厚みとハンダ１３の厚みとを合計した厚みを有する。
【００１８】
ハンダとしては、Ｓｎ−３７Ｐｂ共晶ハンダ（融点１８３℃）、Ｓｎ−Ｂｉハンダ（融点１３９℃）、Ｓｎ−３．５Ａｇ（融点２２１℃）、Ｓｎ−３．０Ａｇ−０．５Ｃｕ（融点２１７℃）、Ｓｎ−５．０Ｓｂ（融点２４０℃）などを用いることができる。
【００１９】
回路基板３０は、例えばリジット基板、フレキシブル基板などの基材３１に回路が形成されている。また、半導体チップ１０が搭載される実装部には、半導体チップ１０のハンダ付き電極と対向する位置に所定の厚みを有する対向電極３２が形成されている。
【００２０】
アンダーフィルフィルム２０は、膜形成樹脂と、エポキシ樹脂と、酸無水物と、アクリル樹脂と、有機過酸化物とを含有する。
【００２１】
膜形成樹脂は、重量平均分子量が１０×１０４以上の高分子量樹脂に相当し、フィルム形成性の観点から、１０×１０４〜１００×１０４の重量平均分子量であることが好ましい。膜形成樹脂としては、アクリルゴムポリマー、フェノキシ樹脂、エポキシ樹脂、変性エポキシ樹脂、ウレタン樹脂等の種々の樹脂を用いることができる。これらの膜形成樹脂は、１種を単独で用いても、２種類以上を組み合わせて用いても良い。これらの中でも、本実施の形態では、膜強度及び接着性の観点から、グリシジル基を有するアクリルゴムポリマーが好適に用いられる。グリシジル基を有するアクリルゴムポリマーの市販品としては、例えば商品名「テイサンレジンＳＧ−Ｐ３」(ナガセケムテック（株))などが挙げられる。
【００２２】
エポキシ樹脂としては、例えば、テトラキス(グリシジルオキシフェニル)エタン、テトラキス（グリシジルオキシメチルフェニル）エタン、テトラキス（グリシジルオキシフェニル）メタン、トリキス（グリシジルオキシフェニル）エタン、トリキス（グリシジルオキシフェニル）メタン等のグリシジルエーテル型エポキシ樹脂、ジシクロペンタジエン型エポキシ樹脂、グリシジルアミン型エポキシ樹脂、ビスフェノールＡ型エポキシ樹脂、ビスフェノールＦ型エポキシ樹脂、ビスフェノールＳ型エポキシ樹脂、スピロ環型エポキシ樹脂、ナフタレン型エポキシ樹脂、ビフェニル型エポキシ樹脂、テルペン型エポキシ樹脂、テトラブロムビスフェノールＡ型エポキシ樹脂、クレゾールノボラック型エポキシ樹脂、フェノールノボラック型エポキシ樹脂、α−ナフトールノボラック型エポキシ樹脂、臭素化フェノールノボラック型エポキシ樹脂などを挙げることができる。これらのエポキシ樹脂は、１種を単独で用いても、２種類以上を組み合わせて用いても良い。これらの中でも、本実施の形態では、高接着性、耐熱性の点から、グリシジルエーテル型エポキシ樹脂を用いることが好ましい。グリシジルエーテル型エポキシ樹脂の市販品としては、例えば商品名「ＪＥＲ１０３１Ｓ」(三菱化学（株))などが挙げられる。
【００２３】
酸無水物は、ハンダ表面の酸化膜を除去するフラックス機能を有するため、優れた接続信頼性を得ることができる。酸無水物としては、例えばヘキサヒドロ無水フタル酸、メチルテトラヒドロ無水フタル酸などの脂環式酸無水物、テトラプロペニル無水コハク酸、ドデセニル無水コハク酸、などの脂肪族酸無水物、無水フタル酸、無水トリメリット酸、無水ピロメリット酸などの芳香族酸無水物などを挙げることができる。これらのエポキシ硬化剤は、１種を単独で用いても、２種類以上を組み合わせて用いても良い。これらのエポキシ硬化剤の中でもこれらのうちハンダ接続性の点から、脂環式酸無水物を用いることが好ましい。脂環式酸無水物の市販品としては、例えば商品名「リカシッドＨＮＡ−１００」(新日本理化（株))などが挙げられる。
【００２４】
また、硬化促進剤を添加することが好ましい。硬化促進剤の具体例としては、１，８−ジアザビシクロ（５，４，０）ウンデセン−７塩（ＤＢＵ塩）、２−メチルイミダゾール、２−エチルイミダゾール、２−エチル−４−メチルイミダゾールなどのイミダゾ−ル類、２−（ジメチルアミノメチル）フェノールなどの第３級アミン類、トリフェニルホスフィンなどのホスフィン類、オクチル酸スズなどの金属化合物などが挙げられる。
【００２５】
アクリル樹脂としては、単官能（メタ）アクリレート、２官能以上の（メタ）アクリレートを使用可能である。単官能（メタ）アクリレートとしては、メチル（メタ）アクリレート、エチル（メタ）アクリレート、ｎ−プロピル（メタ）アクリレート、ｉ−プロピル（メタ）アクリレート、ｎ−ブチル（メタ）アクリレート等が挙げられる。２官能以上の（メタ）アクリレートとしては、フルオレン系アクリレート、ビスフェノールＦ―ＥＯ変性ジ（メタ）アクリレート、ビスフェノールＡ―ＥＯ変性ジ（メタ）アクリレート、トリメチロールプロパンＰＯ変性（メタ）アクリレート、多官能ウレタン（メタ）アクリレート等を挙げることができる。これらのアクリル樹脂は、単独で用いてもよいし、２種以上を組み合わせて用いてもよい。これらの中でも、本実施の形態では、フルオレン系アクリレートが好適に用いられる。フルオレン系アクリレートの市販品としては、例えば商品名「オクゾールＥＡ−０２００」(大阪有機化学（株))などが挙げられる。
【００２６】
有機過酸化物としては、例えば、パーオキシケタール、パーオキシエステル、ハイドロパーオキサイド、ジアルキルパーオキサイド、ジアシルパーオキサイド、パーオキシジカーボネート等を挙げることができる。これらの有機過酸化物は、単独で用いてもよいし、２種以上を組み合わせて用いてもよい。これらの中でも、本実施の形態では、パーオキシケタールが好適に用いられる。パーオキシケタールの市販品としては、例えば商品名「パーヘキサＶ」(日油（株))などが挙げられる。
【００２７】
また、その他の添加組成物として、無機フィラーを含有することが好ましい。無機フィラーを含有することにより、圧着時における樹脂層の流動性を調整することができる。無機フィラーとしては、シリカ、タルク、酸化チタン、炭酸カルシウム、酸化マグネシウム等を用いることができる。
【００２８】
さらに、必要に応じて、エポキシ系、アミノ系、メルカプト・スルフィド系、ウレイド系などのシランカップリング剤を添加してもよい。
【００２９】
このように硬化反応の比較的遅いエポキシ系と、硬化反応の比較的速いアクリル系とを併用することにより、ボンディング条件における昇温速度のマージンが大きくなるため、複数の半導体チップを一括圧着させた場合であっても、チップ位置による昇温速度の差の影響を軽減し、ボイドレス実装及び良好なハンダ接合性を実現することが可能となる。
【００３０】
図５は、ボンディング条件の一例を示すグラフである。このボンディング条件は、温度Ｔ１から２５０℃まで５０℃／ｓｅｃ以上１５０℃／ｓｅｃ以下の昇温速度で昇温させるものである。ここで、温度Ｔ１は、アンダーフィルフィルムの最低溶融粘度と略同一であることが好ましく、５０℃以上１５０℃以下であることが好ましい。
【００３１】
また、図６は、図５に示すボンディング条件に適合したアンダーフィルフィルムの溶融粘度カーブを示すグラフである。この溶融粘度カーブは、レオメータを用いて、５℃／ｍｉｎ、１Ｈｚの条件でアンダーフィルフィルムを測定したものである。
【００３２】
このボンディング条件に適合したアンダーフィルフィルムの最低溶融粘度ηは、１０００Ｐａ・ｓ以上２０００Ｐａ・ｓ以下である。これにより、加熱圧着時のボイドの発生を抑制することができる。また、アンダーフィルフィルムの最低溶融粘度到達温度は、１２５℃以下であることが好ましい。また、アンダーフィルフィルムの弾性率は１ＧＰａ以上１０ＧＰａ以下であることが好ましい。
【００３３】
また、アンダーフィルフィルムの最低溶融粘度到達温度より１０℃高い温度から該温度より１０℃高い温度までの溶融粘度の傾きは、９００Ｐａ・ｓ／℃以上３１００Ｐａ・ｓ／℃以下である。これにより、５０℃／ｓｅｃ以上１５０℃／ｓｅｃ以下の昇温速度で昇温させるボンディング条件でも、ボイドレス実装及び良好なハンダ接合性を実現することができる。すなわち、アンダーフィルフィルムは、昇温速度のマージンが大きく、複数の半導体チップを一括圧着させた場合であっても、チップ位置による昇温速度の差の影響を軽減することができる。また、アンダーフィルフィルムは、チップ側面のフィレットの形成を抑制することができるため、隣接するチップ間隔を小さくすることが可能となる。また、フィレットレスにより、ツールへの付着を防止し、緩衝材を不要とすることができる。
【００３４】
また、最低溶融粘度到達温度は、ボンディング条件の温度Ｔ１と略同一であることが好ましい。これによりボンディング条件に合致した硬化挙動となるアンダーフィルフィルムを得ることができる。
【００３５】
また、アクリル樹脂と有機過酸化物との合計質量と、エポキシ樹脂と酸無水物との合計質量との比は、好ましくは７：３〜４：６であり、より好ましくは７：３〜５：５である。これにより、ボンディング条件における昇温速度のマージンが大きくなるため、複数の半導体チップを一括圧着させた場合であっても、チップ位置による昇温速度の差の影響を軽減することができ、ボイドレス実装及び良好なハンダ接合性を実現することができる。
【００３６】
次に、前述したアンダーフィルフィルムの製造方法について説明する。先ず、膜形成樹脂と、エポキシ樹脂と、酸無水物と、アクリル樹脂と、有機過酸化物とを含有する接着剤組成物を溶剤に溶解させる。溶剤としては、トルエン、酢酸エチルなど、又はこれらの混合溶剤を用いることができる。樹脂組成物を調整後、バーコーター、塗布装置などを用いて剥離基材上に塗布する。
【００３７】
剥離基材は、例えば、シリコーンなどの剥離剤をＰＥＴ（Poly Ethylene Terephthalate）、ＯＰＰ（Oriented Polypropylene）、ＰＭＰ（Poly-4-methylpentene-1）、ＰＴＦＥ（Polytetrafluoroethylene）などに塗布した積層構造からなり、組成物の乾燥を防ぐとともに、組成物の形状を維持するものである。
【００３８】
次に、剥離基材上に塗布された樹脂組成物を熱オーブン、加熱乾燥装置などにより乾燥させる。これにより、所定の厚さの先供給型アンダーフィルフィルムを得ることができる。
【００３９】
＜２．半導体装置の製造方法＞
次に、前述したアンダーフィルフィルムを用いた半導体装置の製造方法について説明する。本実施の形態における半導体装置の製造方法は、ハンダ付き電極が形成された複数の半導体チップを、アンダーフィルフィルムを介してハンダ付き電極と対向する対向電極が形成された電子部品に搭載する搭載工程と、複数の半導体チップと電子部品とを、アンダーフィルフィルムを介して一括圧着する圧着工程とを有する。本法で使用するアンダーフィルフィルムは、前述のように、エポキシ樹脂と、酸無水物と、アクリル樹脂と、有機過酸化物とを含有し、最低溶融粘度が、１０００Ｐａ・ｓ以上２０００Ｐａ・ｓ以下であり、最低溶融粘度到達温度より１０℃高い温度から該温度より１０℃高い温度までの溶融粘度の傾きが、９００Ｐａ・ｓ／℃以上３１００Ｐａ・ｓ／℃以下であるものである。
【００４０】
図７は、半導体装置の製造方法を示すフローチャートである。図７に示すように、本実施の形態における半導体装置の製造方法は、アンダーフィルフィルム貼付工程Ｓ１と、ダイシング工程Ｓ２と、半導体チップ搭載工程Ｓ３と、熱圧着工程Ｓ４とを有する。
【００４１】
図８は、ウエハ上にアンダーフィルフィルムを貼り付ける工程を模式的に示す斜視図である。図８に示すように、アンダーフィルフィルム貼付工程Ｓ１では、ウエハ１の直径よりも大きな直径を有するリング状又は枠状のフレームを有する治具３によりウエハ１を固定し、ウエハ１上にアンダーフィルフィルム２を貼り付ける。アンダーフィルフィルム２は、ウエハ１のダイシング時にウエハ１を保護・固定し、ピックアップ時に保持するダイシングテープとして機能する。なお、ウエハ１には多数のＩＣ（Integrated Circuit）が作り込まれ、ウエハ１の接着面には、スクライブラインによって区分される半導体チップ１０毎にハンダ付き電極が設けられている。
【００４２】
図９は、ウエハをダイシングする工程を模式的に示す斜視図である。図９に示すように、ダイシング工程Ｓ２では、ブレード４をスクライブラインに沿って押圧してウエハ１を切削し、個々の半導体チップに分割する。
【００４３】
図１０は、半導体チップをピックアップする工程を模式的に示す斜視図である。図１０に示すように、各アンダーフィルフィルム付き半導体チップ１０は、アンダーフィルフィルムに保持されてピックアップされる。
【００４４】
半導体チップ搭載工程Ｓ３では、図３に示すように、アンダーフィルフィルム付き半導体チップ１０と回路基板３０とをアンダーフィルフィルムを介して配置する。また、アンダーフィルフィルム付き半導体チップ１０をハンダ付き電極と対向電極３２とが対向するように位置合わせして配置する。そして、加熱ボンダーによって、アンダーフィルフィルムに流動性は生じるが、本硬化は生じない程度の所定の温度、圧力、時間の条件で加熱押圧し、搭載する。
【００４５】
搭載時の温度条件は、３０℃以上１５５℃以下であることが好ましい。また、圧力条件は６０Ｎ以下であることが好ましく、より好ましくは５０Ｎ以下である。また、時間条件は０．５秒以上１０秒以下であることが好ましく、より好ましくは０．１秒以上３．０秒以下である。これにより、ハンダ付き電極が溶融せずに回路基板３０側の電極と接している状態とすることができ、アンダーフィルフィルムが完全硬化していない状態とすることができる。また、低い温度で固定するため、ボイドの発生を抑制し、半導体チップ１０へのダメージを低減することができる。
【００４６】
次の熱圧着工程Ｓ４では、ギャングボンディング装置を用いて、複数の半導体チップ１０のハンダ付き電極のハンダを溶融させて金属結合を形成させるとともに、アンダーフィルフィルムを完全硬化させ、一括圧着する。
【００４７】
図１１及び図１２は、それぞれ複数の半導体チップを一括圧着する工程を模式的に示す断面図及び斜視図である。図１１及び図１２では、ステージ５０上に電子部品としてボトムチップ４１が３×３配列されている。そして、半導体チップ１０をそれぞれボトムチップ４１上に搭載し、３×３の半導体チップをヒートツール６０で一括圧着することにより、アンダーフィルフィルム２０が硬化した接着層２１により複数の半導体チップ１０がボトムチップ４１に接合される。
【００４８】
一括圧着時の温度条件は、１５０℃以上３００℃以下であることが好まし、より好ましくは２３０℃以上２８０℃以下である。また、圧力条件は６０Ｎ以下であることが好ましく、より好ましくは５０Ｎ以下である。また、時間条件は０．１秒以上６０秒以下であることが好ましく、より好ましくは５秒以上２０秒以下である。これにより、ハンダ付き電極と基板電極とを金属結合させるとともに、アンダーフィルフィルムを完全硬化させ、複数の半導体チップ１０の電極と回路基板３０の電極とを電気的、機械的に一括圧着させることができる。
【００４９】
このように所定の最低溶融粘度及び最低溶融粘度到達温度より高い温度において所定の溶融粘度の傾きを有するアンダーフィルフィルムを用いることにより、複数の半導体チップを一括圧着した場合でも、ボイドレス実装及び良好なハンダ接合性を実現することができる。
【００５０】
なお、前述の実施の形態では、アンダーフィルフィルムをダイシングテープとして機能させることとしたが、これに限られるものではなく、ダイシングテープを別に用い、ダイシング後にアンダーフィルフィルムを使用してフリップチップ実装を行ってもよい。
【００５１】
［他の実施の形態］
また、本技術は、半導体チップに設けた小さな孔に金属を充填することによって、サンドイッチ状に積み重ねた複数のチップ基板を電気的に接続するＴＳＶ（Through Silicon Via）技術にも適用可能である。
【００５２】
すなわち、ハンダ付き電極が形成された第１の面と、第１の面の反対側にハンダ付き電極と対向する対向電極が形成された第２の面を有する複数のチップ基板を積層する半導体装置の製造方法にも適用可能である。
【００５３】
この場合、第１のチップ基板の第１の面側にアンダーフィルフィルムを貼り付けた状態で、第２のチップ基板の第２の面に搭載する。その後、第１のチップ基板の第１の面と第２のチップ基板の第２の面とをハンダ付き電極のハンダの融点以上の温度で熱圧着することにより、複数のチップ基板を積層した半導体装置を得ることができる。
【実施例】
【００５４】
＜３．実施例＞
以下、本発明の実施例について説明する。本実施例では、先供給型のアンダーフィルフィルムを作製し、次いで、アンダーフィルフィルムを用いてハンダ付き電極を有する複数の上チップと、これに対向する電極を有する下チップとを図１１及び図１２に示すようなギャングボンディング装置を使って、一括圧着させて実装体を作製し、ボイド、ハンダ接合状態、及びフィレットについて評価した。
【００５５】
なお、その前に、参考例として、アンダーフィルフィルムを用いてハンダ付き電極を有するＩＣチップと、これに対向する電極を有するＩＣ基板とを１ヘッドに対して１チップずつ接続させて実装体を作製し、ボイド及びハンダ接合状態を評価したものを説明する。
【００５６】
＜３．１  参考例＞
まず、参考例として、アンダーフィルフィルムを用いて１ヘッドに対して１チップずつ接続させて実装体を作製し、ボイド及びハンダ接合状態を評価した。アンダーフィルフィルムの最低溶融粘度及び溶融粘度の傾きの測定、実装体の作製、ボイドの評価、ハンダ接合の評価は、次のように行った。
【００５７】
［最低溶融粘度の測定、及び溶融粘度の傾きの算出］
３．１の実施例と同様、各アンダーフィルフィルムについて、レオメータ（ＴＡ社製ＡＲＥＳ）を用いて、５℃／ｍｉｎ、１Ｈｚの条件でサンプルの最低溶融粘度及び最低溶融粘度到達温度を測定した。そして、最低溶融粘度到達温度＋１０℃〜最低溶融粘度到達温度＋２０℃の温度範囲における溶融粘度の傾きを算出した。
【００５８】
［実装体の作製］
アンダーフィルフィルムをウエハ上にプレス機にて、５０℃−０．５ＭＰａの条件で貼り合わせ、ダンシングしてハンダ付き電極を有するＩＣチップを得た。
【００５９】
ＩＣチップは、その大きさが７ｍｍ□、厚み２００μｍであり、厚み２０μｍのＣｕからなる電極の先端に厚み１６μｍのハンダ（Ｓｎ−３．５Ａｇ、融点２２１℃）が形成されたペリフェラル配置のバンプ（φ３０μｍ、８５μｍピッチ、２８０ピン）を有するものであった。
【００６０】
また、これに対向するＩＣ基板は、同様に、その大きさは７ｍｍ□、厚み２００μｍであり、厚み２０μｍのＣｕからなる電極が形成されたペリフェラル配置のバンプ（φ３０μｍ、８５μｍピッチ、２８０ピン）を有するものであった。
【００６１】
次に、フリップチップボンダーを用いて、６０℃−０．５秒−３０Ｎの条件でＩＣ基板上にＩＣチップを搭載した。
【００６２】
その後、図５に示すボンディング条件のように、フリップチップボンダーを用いて、アンダーフィルフィルムの最低溶融粘度到達温度から２５０℃まで５０℃／ｓｅｃの昇温速度で熱圧着した。なお、最低溶融粘度到達温度から２５０℃に昇温する時間内にボンダーヘッドを最下点まで下降させた（３０Ｎ）。さらに、１５０℃−２時間の条件でキュアし、第１の実装体を得た。また、同様に、フリップチップボンダーを用いて、アンダーフィルフィルムの最低溶融粘度到達温度から２５０℃まで１５０℃／ｓｅｃの昇温速度で熱圧着した。なお、最低溶融粘度到達温度から２５０℃に昇温する時間内にボンダーヘッドを最下点まで下降させた（３０Ｎ）。さらに、１５０℃−２時間の条件でキュアし、第２の実装体を得た。なお、フリップチップボンダー使用時における温度は、熱電対によりサンプルの実温を測定したものである。
【００６３】
［ボイドの評価］
５０℃／ｓｅｃの昇温速度で熱圧着した第１の実装体、及び１５０℃／ｓｅｃの昇温速度で熱圧着した第２の実装体をＳＡＴ（Scanning Acoustic Tomograph, 超音波映像装置）を用いて観察した。第１の実装体及び第２の実装体の両者ともボイドが発生していない場合を「○」と評価し、いずれかの実装体にボイドが発生している場合を「×」と評価した。一般的に、ボイドが生じると、長期信頼性に悪影響を及ぼす可能性が高くなる。
【００６４】
［ハンダ接合の評価］
５０℃／ｓｅｃの昇温速度で熱圧着した第１の実装体、及び１５０℃／ｓｅｃの昇温速度で熱圧着した第２の実装体のサンプルを切断し、断面研磨を行い、ＩＣチップの電極とＩＣ基板の電極との間のハンダの状態をＳＥＭ（Scanning Electron Microscope）観察した。第１の実装体及び第２の実装体の両者ともハンダ接続、ハンダ濡れ共に良好な状態を「○」と評価し、いずれかの実装体のハンダ接続、又はハンダ濡れが不十分な状態を「×」と評価した。
【００６５】
［参考例１］
膜形成樹脂としてのアクリルゴムポリマー（品名：テイサンレジンＳＧ−Ｐ３、ナガセケムテックス社製）を４０質量部、エポキシ樹脂（品名：ＪＥＲ１０３１Ｓ、三菱化学社製）を２０質量部、酸無水物（品名：リカシッドＨＮＡ−１００、新日本理化社製)を１０質量部、硬化促進剤としてのイミダゾール（品名：Ｕ−ＣＡＴ−５００２、サンアプロ社製）を１質量部、アクリル樹脂（品名：オクゾールＥＡ−０２００、大阪有機化学社製）を６８質量部、有機過酸化物（品名：パーヘキサＶ、日油社製）を２質量部、フィラー（品名：アエロジルＲ２０２、日本アエロジル社製）を１５質量部配合し、アクリル／エポキシが７０／３０の樹脂組成物を調製した。これを、剥離処理されたＰＥＴ（Polyethylene terephthalate）にバーコーターを用いて塗布し、８０℃のオーブンで３分間乾燥させ、厚み５０μｍのアンダーフィルフィルムを作製した（カバー剥離ＰＥＴ（２５μｍ）／アンダーフィルフィルム（５０μｍ）／ベース剥離ＰＥＴ（５０μｍ））。
【００６６】
図１３に、参考例１のアンダーフィルフィルムの溶融粘度カーブを示す。また、表１に、参考例１のアンダーフィルフィルムの評価結果を示す。アンダーフィルフィルムの最低溶融粘度は１４９０Ｐａ・ｓであり、最低溶融粘度到達温度は１１３℃であった。また、１２３℃〜１３３℃における溶融粘度の傾きφは３１００Ｐａ・ｓ／℃であった。また、アンダーフィルフィルムを用いて作製した実装体のボイドの評価は○であり、ハンダ接合評価は○であった。
【００６７】
［参考例２］
膜形成樹脂としてのアクリルゴムポリマー（品名：テイサンレジンＳＧ−Ｐ３、ナガセケムテックス社製）を４０質量部、エポキシ樹脂（品名：ＪＥＲ１０３１Ｓ、三菱化学社製）を３０質量部、酸無水物（品名：リカシッドＨＮＡ−１００、新日本理化社製)を２０質量部、硬化促進剤としてのイミダゾール（品名：Ｕ−ＣＡＴ−５００２、サンアプロ社製）を１質量部、アクリル樹脂（品名：オクゾールＥＡ−０２００、大阪有機化学社製）を４９質量部、有機過酸化物（品名：パーヘキサＶ、日油社製）を１質量部、フィラー（品名：アエロジルＲ２０２、日本アエロジル社製）を１５質量部配合し、アクリル／エポキシが５０／５０の樹脂組成物を調製した。これを、剥離処理されたＰＥＴ（Polyethylene terephthalate）にバーコーターを用いて塗布し、８０℃のオーブンで３分間乾燥させ、厚み５０μｍのアンダーフィルフィルムを作製した（カバー剥離ＰＥＴ（２５μｍ）／アンダーフィルフィルム（５０μｍ）／ベース剥離ＰＥＴ（５０μｍ））。
【００６８】
図１３に、参考例２のアンダーフィルフィルムの溶融粘度カーブを示す。また、表１に、参考例２のアンダーフィルフィルムの評価結果を示す。アンダーフィルフィルムの最低溶融粘度は１３３０Ｐａ・ｓであり、最低溶融粘度到達温度は１１２℃であった。また、１２２℃〜１３２℃における溶融粘度の傾きφは１７００Ｐａ・ｓ／℃であった。また、アンダーフィルフィルムを用いて作製した実装体のボイドの評価は○であり、ハンダ接合評価は○であった。
【００６９】
［参考例３］
膜形成樹脂としてのアクリルゴムポリマー（品名：テイサンレジンＳＧ−Ｐ３、ナガセケムテックス社製）を４０質量部、エポキシ樹脂（品名：ＪＥＲ１０３１Ｓ、三菱化学社製）を４５質量部、酸無水物（品名：リカシッドＨＮＡ−１００、新日本理化社製)を１５質量部、硬化促進剤としてのイミダゾール（品名：Ｕ−ＣＡＴ−５００２、サンアプロ社製）を１質量部、アクリル樹脂（品名：オクゾールＥＡ−０２００、大阪有機化学社製）を３９質量部、有機過酸化物（品名：パーヘキサＶ、日油社製）を１質量部、フィラー（品名：アエロジルＲ２０２、日本アエロジル社製）を１５質量部配合し、アクリル／エポキシが５０／５０の樹脂組成物を調製した。これを、剥離処理されたＰＥＴ（Polyethylene terephthalate）にバーコーターを用いて塗布し、８０℃のオーブンで３分間乾燥させ、厚み５０μｍのアンダーフィルフィルムを作製した（カバー剥離ＰＥＴ（２５μｍ）／アンダーフィルフィルム（５０μｍ）／ベース剥離ＰＥＴ（５０μｍ））。
【００７０】
図１３に、参考例３のアンダーフィルフィルムの溶融粘度カーブを示す。また、表１に、参考例３のアンダーフィルフィルムの評価結果を示す。アンダーフィルフィルムの最低溶融粘度は１３９０Ｐａ・ｓであり、最低溶融粘度到達温度は１１３℃であった。また、１２３℃〜１３３℃における溶融粘度の傾きφは９００Ｐａ・ｓ／℃であった。また、アンダーフィルフィルムを用いて作製した実装体のボイドの評価は○であり、ハンダ接合評価は○であった。
【００７１】
［参考例４］
膜形成樹脂としてのアクリルゴムポリマー（品名：テイサンレジンＳＧ−Ｐ３、ナガセケムテックス社製）を４０質量部、エポキシ樹脂（品名：ＪＥＲ１０３１Ｓ、三菱化学社製）を１３質量部、酸無水物（品名：リカシッドＨＮＡ−１００、新日本理化社製)を７質量部、硬化促進剤としてのイミダゾール（品名：Ｕ−ＣＡＴ−５００２、サンアプロ社製）を１質量部、アクリル樹脂（品名：オクゾールＥＡ−０２００、大阪有機化学社製）を７６質量部、有機過酸化物（品名：パーヘキサＶ、日油社製）を４質量部、フィラー（品名：アエロジルＲ２０２、日本アエロジル社製）を１５質量部配合し、アクリル／エポキシが８０／２０の樹脂組成物を調製した。これを、剥離処理されたＰＥＴ（Polyethylene terephthalate）にバーコーターを用いて塗布し、８０℃のオーブンで３分間乾燥させ、厚み５０μｍのアンダーフィルフィルムを作製した（カバー剥離ＰＥＴ（２５μｍ）／アンダーフィルフィルム（５０μｍ）／ベース剥離ＰＥＴ（５０μｍ））。
【００７２】
図１３に、参考例４のアンダーフィルフィルムの溶融粘度カーブを示す。また、表１に、参考例４のアンダーフィルフィルムの評価結果を示す。アンダーフィルフィルムの最低溶融粘度は１９５０Ｐａ・ｓであり、最低溶融粘度到達温度は１１３℃であった。また、１２３℃〜１３３℃における溶融粘度の傾きφは４０００Ｐａ・ｓ／℃であった。また、アンダーフィルフィルムを用いて作製した実装体のボイドの評価は○であり、ハンダ接合評価は×であった。
【００７３】
［参考例５］
膜形成樹脂としてのアクリルゴムポリマー（品名：テイサンレジンＳＧ−Ｐ３、ナガセケムテックス社製）を４０質量部、エポキシ樹脂（品名：ＪＥＲ１０３１Ｓ、三菱化学社製）を４０質量部、酸無水物（品名：リカシッドＨＮＡ−１００、新日本理化社製)を３０質量部、硬化促進剤としてのイミダゾール（品名：Ｕ−ＣＡＴ−５００２、サンアプロ社製）を１質量部、アクリル樹脂（品名：オクゾールＥＡ−０２００、大阪有機化学社製）を２９質量部、有機過酸化物（品名：パーヘキサＶ、日油社製）を１質量部、フィラー（品名：アエロジルＲ２０２、日本アエロジル社製）を１５質量部配合し、アクリル／エポキシが３０／７０の樹脂組成物を調製した。これを、剥離処理されたＰＥＴ（Polyethylene terephthalate）にバーコーターを用いて塗布し、８０℃のオーブンで３分間乾燥させ、厚み５０μｍのアンダーフィルフィルムを作製した（カバー剥離ＰＥＴ（２５μｍ）／アンダーフィルフィルム（５０μｍ）／ベース剥離ＰＥＴ（５０μｍ））。
【００７４】
図１３に、参考例５のアンダーフィルフィルムの溶融粘度カーブを示す。また、表１に、参考例５のアンダーフィルフィルムの評価結果を示す。アンダーフィルフィルムの最低溶融粘度は１３００Ｐａ・ｓであり、最低溶融粘度到達温度は１１５℃であった。また、１２５℃〜１３５℃における溶融粘度の傾きφは４００Ｐａ・ｓ／℃であった。また、アンダーフィルフィルムを用いて作製した実装体のボイドの評価は×であり、ハンダ接合評価は○であった。
【００７５】
【表１】
0006438790.tif 000002
【００７６】
参考例４のように溶融粘度の傾きφが３１００Ｐａ・ｓ／℃を超えた場合、ボイドレス実装は可能であるが、５０℃／ｓｅｃの昇温速度で熱圧着した第１の実装体、及び１５０℃／ｓｅｃの昇温速度で熱圧着した第２の実装体の両者のハンダ接合に不良が発生した。また、参考例５のように溶融粘度の傾きφが９００Ｐａ・ｓ／℃未満の場合、ハンダ接合は良好であったが、１５０℃／ｓｅｃの昇温速度で熱圧着した第２の実装体においてボイドが内在した。
【００７７】
一方、参考例１〜３のように溶融粘度の傾きφが９００Ｐａ・ｓ／℃以上３１００Ｐａ・ｓ／℃以下の場合、５０℃／ｓｅｃ以上１５０℃／ｓｅｃ以下の昇温速度のボンディング条件でも、ボイドレス及び良好なハンダ接合を実現できた。
【００７８】
＜３．２  実施例（一括圧着）＞
上述したとおり、本実施例では、先供給型のアンダーフィルフィルムを作製し、次いで、アンダーフィルフィルムを用いてハンダ付き電極を有する複数の上チップと、これに対向する電極を有する下チップとを図１１及び図１２に示すようなギャングボンディング装置を用い、一括圧着させて実装体を作製し、ボイド、ハンダ接合状態、及びフィレットについて評価した。その際のアンダーフィルフィルムの弾性率、最低溶融粘度及び溶融粘度の傾きの測定、実装体の作製、搭載時のチップズレ、ボイド、ハンダ接合、及びフィレットの評価は、次のように行った。
【００７９】
［弾性率、最低溶融粘度の測定、及び溶融粘度の傾きの算出］
各アンダーフィルフィルムについて、レオメータ（ＴＡ社製ＡＲＥＳ）を用いて、５℃／ｍｉｎ、１Ｈｚの条件でサンプルの弾性率、最低溶融粘度及び最低溶融粘度到達温度を測定した。そして、最低溶融粘度到達温度＋１０℃〜最低溶融粘度到達温度＋２０℃の温度範囲における溶融粘度の傾きを算出した。
【００８０】
［実装体の作製］
まず、アンダーフィルフィルムをウエハ上にプレス機にて、５０℃−０．５ＭＰａの条件で貼り合わせ、ダンシングしてハンダ付き電極を有する上チップを得た。
【００８１】
上チップは、サイズが５ｍｍ×５ｍｍ、厚みが２００μｍ、バンプがＣｕ／ＳｎＡｇのキャップタイプのものを使用した。バンプは、直径が５０μｍ、高さが２０μｍ（ＳｎＡｇ５μｍ）、ピッチが１５０μｍ、バンプ数が５９２であった。
【００８２】
また、下チップは、サイズが１０ｍｍ×１０ｍｍ（分割ブロックタイプ３０μｍ×３０μｍ）、厚みが２００μｍ、バンプがＮｉ／Ａｕのパッドタイプのものを使用した。バンプは、直径が５０μｍ、高さが３μｍ、ピッチが１５０μｍ、バンプ数が５９２であった。
【００８３】
次に、フリップチップボンダーを用いて、８０℃−２秒−４０Ｎの条件で下チップ上に９個の上チップを搭載した。
【００８４】
その後、図１１及び図１２に示すようなギャングボンディング装置を用い、図５に示すボンディング条件のように、アンダーフィルフィルムの最低溶融粘度到達温度から２５０℃まで５０℃／ｓｅｃの昇温速度で一括圧着した。また、最低溶融粘度到達温度から２５０℃に到達する時間内に、ギャングボンディング装置のヒートツールを最下点まで下降させた（４０Ｎ−１０秒）。更に、１５０℃−２時間の条件でキュアし、図３に示す実装体を得た。
【００８５】
［チップズレの評価］
下チップ上に９個の上チップを一括圧着した際のチップズレを、Ｘ線装置にて目視し、チップズレが５μｍ以下で実質的に確認できない場合を「○」と評価し、他方、それ以上チップズレが確認できた場合を「×」と評価した。
【００８６】
［ボイドの評価］
実装体をＳＡＴ（Scanning Acoustic Tomograph, 超音波映像装置）を用いて観察した。実装体のボイド面積を確認し、ボイドが発生していないか、又は発生してもボイドの直径が１００μｍ以下の場合を「○」と評価し、それ以上のボイドが確認できた場合を「×」と評価した。一般的に、１００μｍを超えたボイドが生じると、経験上、長期信頼性に悪影響を及ぼす可能性が高くなる。
【００８７】
［接合の評価］
実装体のサンプルを切断し、断面研磨を行い、上チップと下チップとのバンプ間のハンダの状態をＳＥＭ（Scanning Electron Microscope）観察した。下チップ側のバンプの９０％以上にハンダ濡れ広がりがある場合の良好な状態を「○」と評価し、それ以外のハンダ濡れが不十分な状態を「×」と評価した。
【００８８】
［フィレットの評価］
実装体のチップ間及びチップ端部を目視にて観察し、フィレットが形成されている場合を「×」と評価し、フィレットが形成されていない場合を「○」と評価した。
【００８９】
［実施例１］
参考例１に記載の樹脂組成物と同様の組成物を調整した。この組成物を、剥離処理されたＰＥＴ（Polyethylene terephthalate）にバーコーターを用いて塗布し、８０℃のオーブンで３分間乾燥させ、厚み１８μｍのアンダーフィルフィルムを作製した（カバー剥離ＰＥＴ（２５μｍ）／アンダーフィルフィルム（１８μｍ）／ベース剥離ＰＥＴ（５０μｍ））。
【００９０】
図１２に、実施例１のアンダーフィルフィルムの溶融粘度カーブを示す。また、表２に、実施例１のアンダーフィルフィルムの評価結果を示す。アンダーフィルフィルムの弾性率は２．５ＧＰａであり、最低溶融粘度は１４９０Ｐａ・ｓであり、最低溶融粘度到達温度は１１３℃であった。また、１２３℃〜１３３℃における溶融粘度の傾きφは３１００Ｐａ・ｓ／℃であった。この実施例１のアンダーフィルフィルムを使った実装体について各評価を行うと、まずチップを搭載した際のチップズレの評価は○であった。また、アンダーフィルフィルムを用いて作製した実装体のボイドの評価は○であり、ハンダ接合評価は○であり、フィレットの評価は○であった。
【００９１】
［実施例２］
参考例２に記載された樹脂組成物と同様な樹脂組成物を作成した。この組成物を、剥離処理されたＰＥＴ（Polyethylene terephthalate）にバーコーターを用いて塗布し、８０℃のオーブンで３分間乾燥させ、厚み１８μｍのアンダーフィルフィルムを作製した（カバー剥離ＰＥＴ（２５μｍ）／アンダーフィルフィルム（１８μｍ）／ベース剥離ＰＥＴ（５０μｍ））。
【００９２】
図１２に、実施例２のアンダーフィルフィルムの溶融粘度カーブを示す。また、表２に、実施例２のアンダーフィルフィルムの評価結果を示す。アンダーフィルフィルムの弾性率は２．５ＧＰａであり、最低溶融粘度は１３３０Ｐａ・ｓであり、最低溶融粘度到達温度は１１２℃であった。また、１２２℃〜１３２℃における溶融粘度の傾きφは１７００Ｐａ・ｓ／℃であった。この実施例２のアンダーフィルフィルムを使った実装体について各評価を行うと、まずチップを搭載した際のチップズレの評価は○であった。また、アンダーフィルフィルムを用いて作製した実装体のボイドの評価は○であり、ハンダ接合評価は○であり、フィレットの評価は○であった。
【００９３】
［実施例３］
参考例３に記載の樹脂組成物と同様な樹脂組成物を調整した。この組成物を、剥離処理されたＰＥＴ（Polyethylene terephthalate）にバーコーターを用いて塗布し、８０℃のオーブンで３分間乾燥させ、厚み１８μｍのアンダーフィルフィルムを作製した（カバー剥離ＰＥＴ（２５μｍ）／アンダーフィルフィルム（１８μｍ）／ベース剥離ＰＥＴ（５０μｍ））。
【００９４】
図１２に、実施例３のアンダーフィルフィルムの溶融粘度カーブを示す。また、表２に、実施例３のアンダーフィルフィルムの評価結果を示す。アンダーフィルフィルムの弾性率は２．５ＧＰａであり、最低溶融粘度は１３９０Ｐａ・ｓであり、最低溶融粘度到達温度は１１３℃であった。また、１２３℃〜１３３℃における溶融粘度の傾きφは９００Ｐａ・ｓ／℃であった。この実施例３のアンダーフィルフィルムを使った実装体について各評価を行うと、まず、チップを搭載した際のチップズレの評価は○であった。また、アンダーフィルフィルムを用いて作製した実装体のボイドの評価は○であり、ハンダ接合評価は○であり、フィレットの評価は×であった。
【００９５】
［比較例１］
参考例４の樹脂組成物と同様の組成物を調整した。この組成物を、剥離処理されたＰＥＴ（Polyethylene terephthalate）にバーコーターを用いて塗布し、８０℃のオーブンで３分間乾燥させ、厚み１８μｍのアンダーフィルフィルムを作製した（カバー剥離ＰＥＴ（２５μｍ）／アンダーフィルフィルム（１８μｍ）／ベース剥離ＰＥＴ（５０μｍ））。
【００９６】
図１２に、比較例１のアンダーフィルフィルムの溶融粘度カーブを示す。また、表１に、比較例１のアンダーフィルフィルムの評価結果を示す。アンダーフィルフィルムの弾性率は２．５ＧＰａであり、最低溶融粘度は１９５０Ｐａ・ｓであり、最低溶融粘度到達温度は１１３℃であった。また、１２３℃〜１３３℃における溶融粘度の傾きφは４０００Ｐａ・ｓ／℃であった。この比較例１のアンダーフィルフィルムを使った実装体について各評価を行うと、まず、チップを搭載した際のチップズレの評価は○であった。また、アンダーフィルフィルムを用いて作製した実装体のボイドの評価は○であり、ハンダ接合評価は×であり、フィレットの評価は×であった。
【００９７】
［比較例２］
比較例５に記載の樹脂組成物の同様な樹脂組成物を調整した。この樹脂組成物を、剥離処理されたＰＥＴ（Polyethylene terephthalate）にバーコーターを用いて塗布し、８０℃のオーブンで３分間乾燥させ、厚み１８μｍのアンダーフィルフィルムを作製した（カバー剥離ＰＥＴ（２５μｍ）／アンダーフィルフィルム（１８μｍ）／ベース剥離ＰＥＴ（５０μｍ））。
【００９８】
図１２に、比較例２のアンダーフィルフィルムの溶融粘度カーブを示す。また、表２に、比較例２のアンダーフィルフィルムの評価結果を示す。アンダーフィルフィルムの弾性率は２．５ＧＰａであり、最低溶融粘度は１３００Ｐａ・ｓであり、最低溶融粘度到達温度は１１５℃であった。また、１２５℃〜１３５℃における溶融粘度の傾きφは４００Ｐａ・ｓ／℃であった。この比較例２のアンダーフィルムフィルムを使った実装体について各評価を行うと、まず、チップを搭載した際のチップズレの評価は○であった。また、アンダーフィルフィルムを用いて作製した実装体のボイドの評価は×であり、ハンダ接合評価は○であり、フィレットの評価は×であった。
【００９９】
【表２】
0006438790.tif 000003
【０１００】
比較例１のように溶融粘度の傾きφが３１００Ｐａ・ｓ／℃を超えるアンダーフィルフィルムを用いた場合、ボイドレス実装は可能であるが、ハンダ接合に不良が発生した。また、比較例２のように溶融粘度の傾きφが９００Ｐａ・ｓ／℃未満のアンダーフィルフィルムを用いた場合、ハンダ接合は良好であったが、ボイドが発生した。
【０１０１】
一方、実施例１〜３のように溶融粘度の傾きφが９００Ｐａ・ｓ／℃以上３１００Ｐａ・ｓ／℃以下のアンダーフィルフィルムを用いた場合、複数のチップを一括圧着しても、ボイドレス及び良好なハンダ接合を実現できた。これは、チップ位置による昇温温度差の影響を低減できたためであると考えられる。また、実施例１，２のように溶融粘度の傾きφが１７００Ｐａ・ｓ／℃以上３１００Ｐａ・ｓ／℃以下のアンダーフィルフィルムを用いた場合、フィレットの形成を抑制することができた。
【符号の説明】
【０１０２】
１  ウエハ、  ２  アンダーフィルフィルム、  ３  治具、  ４  ブレード、  １０  半導体チップ、１１  半導体、１２  電極、１３  ハンダ、２０  アンダーフィルフィルム、２１  接着層、  ３０  回路基板、３１  基材、３２  対向電極、４１  ボトムチップ、４２  対向電極、５０  ステージ、６０  ヒートツール
【図１】
0006438790.tif 000004
【図２】
0006438790.tif 000005
【図３】
0006438790.tif 000006
【図４】
0006438790.tif 000007
【図５】
0006438790.tif 000008
【図６】
0006438790.tif 000009
【図７】
0006438790.tif 000010
【図８】
0006438790.tif 000011
【図９】
0006438790.tif 000012
【図１０】
0006438790.tif 000013
【図１１】
0006438790.tif 000014
【図１２】
0006438790.tif 000015
【図１３】
0006438790.tif 000016